【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
デバイスまたは前記デバイスを含む資産の場所をモニタリングする方法であって、
（ａ）（ｉ）１つ以上の第１のアンテナが前記デバイスから第１の電磁伝送を受信したと判断すること、および（ｉｉ）前記デバイスが第１の電磁送信を１つ以上の第１のアンテナから受信したと判断することのうちの一方または両方であって、前記１つ以上の第１のアンテナが、建物内の光学的に切り替え可能な窓および／または窓コントローラに配置されている、判断することと、
（ｂ）前記１つ以上の第１のアンテナによる前記第１の電磁伝送の受信からの情報を分析することによって、前記デバイスの第１の場所を判断することと、
（ｃ）（ａ）の後に、１つ以上の第２のアンテナが前記デバイスから第２の電磁伝送を受信したと判断することであって、前記１つ以上の第２のアンテナが、前記建物内の光学的に切り替え可能な窓または窓コントローラ上に配置されている、判断することと、
（ｄ）１つ以上の前記第２のアンテナによる前記第２の電磁伝送の受信からの情報を分析することによって、前記デバイスの第２の場所を判断することと、
（ｅ）前記デバイスが、前記第１の場所から前記第２の場所に移動することによって、仮想境界を越えたか否かを判断することと、を含む、方法。
【請求項２】
前記デバイスが前記第１の場所から前記第２の場所に移動する際に前記仮想境界を越えたと判断した後に、警告を送信する、または警報をトリガすることをさらに含む、請求項１に記載の方法。
【請求項３】
前記デバイスが前記第１の場所から前記第２の場所に移動する際に前記仮想境界を越えたと判断した後に、前記デバイスまたは資産の場所または移動を補助システムに伝達することをさらに含む、請求項１または２に記載の方法。
【請求項４】
前記補助システムが、セキュリティシステム、建物管理システム、照明システム、在庫システム、および安全システムから成る群から選択される、請求項３に記載の方法。
【請求項５】
前記デバイスが前記第１の場所から前記第２の場所に移動する際に前記仮想境界を越えたと判断した後に、前記デバイスのさらなる移動を阻止することをさらに含む、請求項１から４のいずれか一項に記載の方法。
【請求項６】
（ｅ）の前に、前記仮想境界の場所を判断することをさらに含み、前記仮想境界の前記場所が、時間、前記デバイスもしくは資産のタイプ、および／または前記デバイスもしくは資産に関連する個人に付与された許可に基づいて変わる、請求項１から５のいずれか一項に記載の方法。
【請求項７】
前記仮想境界の前記場所をリセットまたは修正することをさらに含む、請求項１から６のいずれか一項に記載の方法。
【請求項８】
前記デバイスの前記第１の場所が、約１メートル以下の解像度まで判断される、請求項１から７のいずれか一項に記載の方法。
【請求項９】
前記デバイスの前記第１の場所が、約１０ｃｍ以下の解像度まで判断される、請求項１から７のいずれか一項に記載の方法。
【請求項１０】
前記デバイスの前記第１の場所が、約５ｃｍ以下の解像度まで判断される、請求項１から７のいずれか一項に記載の方法。
【請求項１１】
前記第１のアンテナおよび前記第２のアンテナが、前記第１の電磁伝送および前記第２の電磁伝送の伝送または受信を制御するための論理を備える少なくとも１つのネットワークコントローラまたはマスタコントローラを備えるネットワークの一部である、請求項１から１０のいずれか一項に記載の方法。
【請求項１２】
前記マスタコントローラが、（ｂ）および（ｄ）における前記第１の電磁伝送および前記第２の電磁伝送の前記受信からの前記情報を使用して、前記デバイスが前記第１の場所から前記第２の場所に移動する際に前記仮想境界を越えたか否かを判断する、請求項１１に記載の方法。
【請求項１３】
前記デバイスが、Ｂｌｕｅｔｏｏｔｈビーコンを発生させるように構成された伝送機を備える、請求項１から１２のいずれか一項に記載の方法。
【請求項１４】
前記デバイスが、パルスベースの超広帯域（ＵＷＢ）信号を伝送および／または受信するように構成されたマイクロ位置特定チップを備える、請求項１から１３のいずれか一項に記載の方法。
【請求項１５】
前記デバイスが、モバイルデバイスである、請求項１から１４のいずれか一項に記載の方法。
【請求項１６】
前記デバイスが、Ｗｉ−Ｆｉ信号、Ｚｉｇｂｅｅ信号、または超広帯域（ＵＷＢ）信号を伝送するように構成された伝送機を備える、請求項１から１５のいずれか一項に記載の方法。
【請求項１７】
前記デバイスが、パッシブまたはアクティブの無線周波数識別（ＲＦＩＤ）タグを備える、請求項１から１６のいずれか一項に記載の方法。
【請求項１８】
前記デバイスの前記第１の場所および／または前記第２の場所を判断することが、ＧＰＳデータを使用することなく達成される、請求項１から１７のいずれか一項に記載の方法。
【請求項１９】
前記デバイスの前記第１の場所および／または前記第２の場所を判断することが、既知の場所において、前記１つ以上の第１のアンテナからの信号の到着時間を測定することを含む、請求項１から１８のいずれか一項に記載の方法。
【請求項２０】
前記１つ以上の第１および／または第２のアンテナが、異なる角度関係で到着する信号を受信するように配向される、請求項１９に記載の方法。
【請求項２１】
前記デバイスの前記第１の場所および／または前記第２の場所を判断することが、受信信号の強度を測定して、前記１つ以上の第１および／または第２のアンテナに対する前記デバイスの近接性を判断することを含む、請求項１から２０のいずれか一項に記載の方法。
【請求項２２】
前記デバイスの前記第１の場所および／または前記第２の場所を判断することが、前記デバイスによって感知された慣性情報または磁気情報を使用することをさらに含む、請求項１から２１のいずれか一項に記載の方法。
【請求項２３】
前記第１および／または第２のアンテナのうちの少なくとも１つは、モノポールアンテナ、ストリップラインアンテナ、パッチアンテナ、フラクタルアンテナ、およびシェルピンスキーアンテナのうちの１つ以上を含む、請求項１から２２のいずれか一項に記載の方法。
【請求項２４】
前記第２のアンテナのうちの少なくとも１つが、前記第１のアンテナのうちの少なくとも１つと同じである、請求項１から２３のいずれか一項に記載の方法。
【請求項２５】
前記第１および／または第２のアンテナのうちの少なくとも１つが、前記光学的に切り替え可能な窓のうちの少なくとも１つの表面上に配置されたグランドプレーンを備える、請求項１から２４のいずれか一項に記載の方法。
【請求項２６】
前記デバイスまたは前記資産が、医療デバイスまたは医療用品を含む、請求項１から２５のいずれか一項に記載の方法。
【請求項２７】
電力を無線伝送によってエレクトロクロミックデバイスへ送達する方法であって、
（ａ）電力が、それぞれが１つ以上の第１のアンテナを備える１つ以上の第１の受信機を介して前記エレクトロクロミックデバイスに送達されるべきであると判断することと、
（ｂ）伝送機に、電力を、電磁伝送によって前記１つ以上の第１のアンテナに無線伝送させることであって、前記１つ以上の第１のアンテナが、（ｉ）前記エレクトロクロミックデバイスを含む１つ以上のエレクトロクロミック窓上に、かつ／または（ｉｉ）前記エレクトロクロミックデバイスを制御するように構成された１つ以上の窓コントローラ上に、配置され、前記１つ以上のエレクトロクロミック窓および／または前記１つ以上の窓コントローラが、建物に配置されている、無線伝送させることと、
（ｃ）前記１つ以上の第１のアンテナを使用して、前記第１の受信機のうちの１つ以上において、前記無線伝送された電力を受信することと、を含む、方法。
【請求項２８】
窓構造体であって、
第１の表面および第２の表面を備える１つ以上の透明なライトと、
前記１つ以上のライトの第１の表面上に配置されたエレクトロクロミックデバイスであって、
前記第２の表面に隣接する第１の導電層、
第２の導電層、および
前記第１の導電層と前記第２の導電層との間のエレクトロクロミック層を備える、エレクトロクロミックデバイスと、
少なくとも１つの隣接する反射防止層とともに、少なくとも１つの導電層を備える電磁遮蔽膜であって、前記１つ以上のライトの前記第１の表面、前記第２の表面、もしくは別の表面に、またはそれに隣接して載置されている、電磁遮蔽膜と、を備える、窓構造体。
【請求項２９】
デバイスまたは前記デバイスを含む資産の場所をモニタリングするためのシステムであって、
建物内の光学的に切り替え可能な窓および／または窓コントローラ上に配置された複数のアンテナを備えるネットワークと、
位置特定論理であって、
（ａ）前記複数のアンテナのうちの１つ以上の第１のアンテナが、前記デバイスから第１の電磁伝送を受信したと判断する動作と、
（ｂ）前記１つ以上の第１のアンテナによる前記第１の電磁伝送の受信からの情報を分析することによって、前記デバイスの第１の場所を判断する動作と、
（ｃ）（ａ）の後に、前記複数のアンテナのうちの１つ以上の第２のアンテナが、前記デバイスから第２の電磁伝送を受信したと判断する動作と、
（ｄ）１つ以上の前記第２のアンテナによる前記第２の電磁伝送の受信からの情報を分析することによって、前記デバイスの第２の場所を判断する動作と、
（ｅ）前記デバイスが、前記第１の場所から前記第２の場所に移動することによって、仮想境界を越えたか否かを判断する動作と、を実行するように構成された、位置特定論理と、を備えるシステム。
【請求項３０】
前記位置特定論理が、前記デバイスが、前記第１の場所から前記第２の場所に前記仮想境界を越えたと判断した後に、警告を送信し、警報をトリガし、かつ／または補助システムと通信するようにさらに構成される、請求項２９に記載のシステム。
【請求項３１】
前記デバイスの前記第１の場所および／または前記第２の場所が、約１ｍ以下の解像度まで判断される、請求項２９または３０に記載のシステム。
【請求項３２】
前記デバイスの前記第１の場所および／または前記第２の場所が、約１０ｃｍ以下の解像度まで判断される、請求項２９または３０に記載のシステム。
【請求項３３】
前記デバイスの前記第１の場所および／または前記第２の場所を判断することが、受信信号の強度を測定して、前記１つ以上の第１および／または第２のアンテナに対する前記デバイスの近接性を判断することを含む、請求項２９から３２のいずれか一項に記載のシステム。
【請求項３４】
前記デバイスの前記第１の場所および／または前記第２の場所を判断することが、前記デバイスによって感知された慣性情報または磁気情報を使用することをさらに含む、請求項２９から３３のいずれか一項に記載のシステム。
【請求項３５】
位置特定論理が、時間、ユーザに付与された許可、および／またはユーザに付与された許可に基づいて前記仮想境界を調節するようにさらに構成される、請求項２９から３４のいずれか一項に記載のシステム。
【請求項３６】
前記第１のアンテナおよび前記第２のアンテナが、前記位置特定論理を備える少なくとも１つのネットワークコントローラまたはマスタコントローラを備えるネットワークの一部である、請求項２９から３５のいずれか一項に記載のシステム。
【請求項３７】
前記第１および／または第２のアンテナのうちの少なくとも１つが、モノポールアンテナ、ストリップラインアンテナ、パッチアンテナ、フラクタルアンテナ、およびシェルピンスキーアンテナのうち１つ以上を含む、請求項２９から３６のいずれか一項に記載のシステム。
【請求項３８】
前記第１および／または第２のアンテナのうちの少なくとも１つが、前記光学的に切り替え可能な窓のうちの少なくとも１つの表面上に配置されたグランドプレーンを備える、請求項２９から３７のいずれか一項に記載のシステム。
【請求項３９】
前記デバイスが、パルスベースの超広帯域（ＵＷＢ）信号を伝導かつ／または受信するように構成されたマイクロ位置特定チップを備える、請求項２９から３８のいずれか一項に記載のシステム。
【請求項４０】
コンピュータにより実行された場合、前記コンピュータに、ユーザとインタフェースするための非一時的な命令を実行させるためのコンピュータプログラムであって、前記命令が、
ユーザが、考えられる資産のリストから所望の資産を選択することを可能にするユーザインタフェースを提示するここと、
位置モニタリングシステムの位置特定ロジックから、前記資産の第１の場所または第２の場所の、いずれかその時点の場所を受信することと、
前記ユーザを前記第１の場所に、または前記第２の場所に案内するための命令を、前記ユーザインタフェースに表示することと、を含み、
前記位置モニタリングシステムは、前記位置特定ロジックと、
建物内の光学的に切り替え可能な窓および／または窓コントローラに配置された複数のアンテナを備えるネットワークと、を含み、
前記位置特定ロジックは、
（ａ）前記複数のアンテナのうちの１つ以上の第１のアンテナが、デバイスから第１の電磁伝送を受信したと判断する動作と、
（ｂ）前記１つ以上の第１のアンテナによる前記第１の電磁伝送の受信からの情報を分析することによって、前記デバイスの第１の場所を判断する動作と、
（ｃ）（ａ）の後に、前記複数のアンテナのうちの１つ以上の第２のアンテナが、前記デバイスから第２の電磁伝送を受信したと判断する動作と、
（ｄ）少なくとも１つ以上の前記第２のアンテナによる前記第２の電磁伝送の受信からの情報を分析することによって、前記デバイスの第２の場所を判断する動作と、
（ｅ）前記デバイスが、前記第１の場所から前記第２の場所に移動することによって、仮想境界を越えたか否かを判断する動作と、を実行するように構成される、
コンピュータプログラム。
【請求項４１】
請求項４０に記載のコンピュータプログラムを格納するコンピュータ可読媒体。
【手続補正２】
【補正対象書類名】明細書
【補正対象項目名】０３３１
【補正方法】変更
【補正の内容】
【０３３１】
同様に、動作が特定の順序で図面に描写されているが、これは、必ずしも、望ましい結果を実現するために、動作が示された特定の順序で、または順次に行われることが必要とされること、または示された動作のすべてが行われることを意味するものではない。さらに、図面は、フロー図の形でプロセスのもう１つの例を概略的に描写することがある。しかしながら、描写されていない他の動作は、概略的に示されているプロセスの例に組み込まれ得る。例えば、示された動作の前、後、同時、またはいずれかの動作間に、１つ以上のさらなる動作が行われ得る。特定の状況では、マルチタスク処理および並列処理が有利なことがある。なお、上に説明された実装形態における様々なシステム構成要素の分離は、すべての実装形態においてこのような分離を必要とするとして理解されるべきではなく、説明されたプログラム構成要素およびシステムが、大抵、単一のソフトウェア製品にともに統合されるか、または複数のソフトウェア製品にパッケージ化されることが理解されよう。さらに、他の実装形態は、以下の請求項の範囲内にある。場合によっては、請求項に列挙された動作は、異なる順序で行われ、なお望ましい結果を実現することができる。
［項目１］
デバイスまたは上記デバイスを含む資産の場所をモニタリングする方法であって、
（ａ）１つ以上の第１のアンテナが上記デバイスから第１の電磁伝送を受信したと判断することであって、上記１つ以上の第１のアンテナが、建物内の光学的に切り替え可能な窓および／または窓コントローラに配置されている、判断することと、
（ｂ）上記１つ以上の第１のアンテナによる上記第１の電磁伝送の受信からの情報を分析することによって、上記デバイスの第１の場所を判断することと、
（ｃ）（ａ）の後に、１つ以上の第２のアンテナが上記デバイスから第２の電磁伝送を受信したと判断することであって、上記１つ以上の第２のアンテナが、上記建物内の光学的に切り替え可能な窓または窓コントローラ上に配置されている、判断することと、
（ｄ）少なくとも１つ以上の上記第２のアンテナによる上記第２の電磁伝送の受信からの情報を分析することによって、上記デバイスの第２の場所を判断することと、
（ｅ）上記デバイスが、上記第１の場所から上記第２の場所に移動することによって、仮想境界を越えたか否かを判断することと、を含む、方法。
［項目２］
デバイスまたは上記デバイスを含む資産の場所をモニタリングする方法であって、
（ａ）上記デバイスが１つ以上の第１のアンテナから第１の電磁伝送を受信したと判断することであって、上記１つ以上の第１のアンテナが、建物内の光学的に切り替え可能な窓および／または窓コントローラ上に配置されている、判断することと、
（ｂ）上記デバイスによる上記第１の電磁伝送の受信からの情報を分析することによって、上記デバイスの第１の場所を判断することと、
（ｃ）（ａ）の後に、上記デバイスが１つ以上の第２のアンテナから第２の電磁伝送を受信したと判断することであって、上記１つ以上の第２のアンテナが、上記建物内の光学的に切り替え可能な窓および／または窓コントローラ上に配置されている、判断することと、
（ｄ）上記デバイスによる上記第２の電磁伝送の受信からの情報を分析することによって、上記デバイスの第２の場所を判断することと、
（ｅ）上記デバイスが、上記第１の場所から上記第２の場所に移動することによって、仮想境界を越えたか否かを判断することと、を含む、方法。
［項目３］
上記デバイスが上記第１の場所から上記第２の場所に移動する際に上記仮想境界を越えたと判断した後に、警告を送信する、または警報をトリガすることをさらに含む、項目１または２に記載の方法。
［項目４］
上記デバイスが上記第１の場所から上記第２の場所に移動する際に上記仮想境界を越えたと判断した後に、上記デバイスまたは資産の場所または移動を補助システムに伝達することをさらに含む、項目１または２に記載の方法。
［項目５］
上記補助システムが、セキュリティシステム、建物管理システム、照明システム、在庫システム、および安全システムから成る群から選択される、項目４に記載の方法。
［項目６］
上記デバイスが上記第１の場所から上記第２の場所に移動する際に上記仮想境界を越えたと判断した後に、上記デバイスのさらなる移動を阻止することをさらに含む、項目１または２に記載の方法。
［項目７］
（ｅ）の前に、上記仮想境界の場所を判断することをさらに含み、上記仮想境界の上記場所が、時間、上記デバイスもしくは資産のタイプ、および／または上記デバイスもしくは資産に関連する個人に付与された許可に基づいて変わる、項目１または２に記載の方法。
［項目８］
上記仮想境界の上記場所をリセットまたは修正することをさらに含む、項目１または２に記載の方法。
［項目９］
上記デバイスの上記第１の場所が、約１メートル以下の解像度まで判断される、項目１または２に記載の方法。
［項目１０］
上記デバイスの上記第１の場所が、約１０ｃｍ以下の解像度まで判断される、項目１または２に記載の方法。
［項目１１］
上記デバイスの上記第１の場所が、約５ｃｍ以下の解像度まで判断される、項目１または２に記載の方法。
［項目１２］
上記第１のアンテナおよび上記第２のアンテナが、上記第１の電磁伝送および上記第２の電磁伝送の伝送または受信を制御するための論理を備える少なくとも１つのネットワークコントローラまたはマスタコントローラを備えるネットワークの一部である、項目１または２に記載の方法。
［項目１３］
上記マスタコントローラが、（ｂ）および（ｄ）における上記第１の電磁伝送および上記第２の電磁伝送の上記受信からの上記情報を使用して、上記デバイスが上記第１の場所から上記第２の場所に移動する際に上記仮想境界を越えたか否かを判断する、項目１２に記載の方法。
［項目１４］
上記デバイスが、Ｂｌｕｅｔｏｏｔｈビーコンを発生させるように構成された伝送機を備える、項目１または２に記載の方法。
［項目１５］
上記デバイスが、パルスベースの超広帯域（ＵＷＢ）信号を伝送および／または受信するように構成されたマイクロ位置特定チップを備える、項目１または２に記載の方法。
［項目１６］
上記デバイスが、モバイルデバイスである、項目１または２に記載の方法。
［項目１７］
上記デバイスが、Ｗｉ−Ｆｉ信号、Ｚｉｇｂｅｅ信号、または超広帯域（ＵＷＢ）信号を伝送するように構成された伝送機を備える、項目１または２に記載の方法。
［項目１８］
上記デバイスが、パッシブまたはアクティブの無線周波数識別（ＲＦＩＤ）タグを備える、項目１または２に記載の方法。
［項目１９］
上記デバイスの上記第１および／または第２の場所を判断することが、ＧＰＳデータを使用することなく達成される、項目１または２に記載の方法。
［項目２０］
上記デバイスの上記第１および／または第２の場所を判断することが、既知の場所において、上記１つ以上の第１のアンテナからの信号の到着時間を測定することを含む、項目１または２に記載の方法。
［項目２１］
上記１つ以上の第１および／または第２のアンテナが、異なる角度関係で到着する信号を受信するように配向される、項目２０に記載の方法。
［項目２２］
上記デバイスの上記第１および／または第２の場所を判断することが、受信信号の強度を測定して、上記１つ以上の第１および／または第２のアンテナに対する上記デバイスの近接性を判断することを含む、項目１または２に記載の方法。
［項目２３］
上記デバイスの上記第１および／または第２の場所を判断することが、上記デバイスによって感知された慣性情報または磁気情報を使用することをさらに含む、項目１または２に記載の方法。
［項目２４］
上記第１および／または第２のアンテナのうちの少なくとも１つが、モノポールアンテナである、項目１または２に記載の方法。
［項目２５］
上記第１および／または第２のアンテナのうちの少なくとも１つが、ストリップラインまたはパッチを備える、項目１または２に記載の方法。
［項目２６］
上記第１および／または第２のアンテナのうちの少なくとも１が、フラクタルアンテナである、項目１または２に記載の方法。
［項目２７］
上記第１および／または第２のアンテナのうちの少なくとも１つが、シェルピンスキーアンテナである、項目１または２に記載の方法。
［項目２８］
上記第２のアンテナのうちの少なくとも１つが、上記第１のアンテナのうちの少なくとも１つと同じである、項目１または２に記載の方法。
［項目２９］
上記第１および／または第２のアンテナのうちの少なくとも１つが、上記光学的に切り替え可能な窓のうちの少なくとも１つの表面上に配置されたグランドプレーンを備える、項目１または２に記載の方法。
［項目３０］
上記デバイスまたは上記資産が、医療デバイスまたは医療用品を含む、項目１または２に記載の方法。
［項目３１］
電力を無線伝送によってエレクトロクロミックデバイスへ送達する方法であって、
（ａ）電力が、それぞれが１つ以上の第１のアンテナを備える１つ以上の第１の受信機を介して上記エレクトロクロミックデバイスに送達されるべきであると判断することと、
（ｂ）伝送機に、電力を、電磁伝送によって上記１つ以上の第１のアンテナに無線伝送させることであって、上記１つ以上の第１のアンテナが、（ｉ）上記エレクトロクロミックデバイスを含む１つ以上のエレクトロクロミック窓上に、かつ／または（ｉｉ）上記エレクトロクロミックデバイスを制御するように構成された１つ以上の窓コントローラ上に、配置され、上記１つ以上のエレクトロクロミック窓および／または上記１つ以上の窓コントローラが、建物に配置されている、無線伝送させることと、
（ｃ）上記１つ以上の第１のアンテナを使用して、上記第１の受信機のうちの１つ以上において、上記無線伝送された電力を受信することと、を含む、方法。
［項目３２］
それぞれが１つ以上の第２のアンテナを備える１つ以上の第２の受信機を介して、（ａ）において、電力が１つ以上のさらなるエレクトロクロミックデバイスに送達されるべきであると判断することと、
（ｂ）において、電力を上記１つ以上の第２のアンテナに無線伝送することと、
上記１つ以上の第２のアンテナにより、（ｃ）において、上記無線伝送された電力を１つ以上の第２の受信機において受信することと、をさらに含む、項目３１に記載の方法。
［項目３３］
（ｂ）において、伝送機に電力を無線伝送させることが、上記伝送機に、上記１つ以上の第１および第２のアンテナ間で、電力を伝送することを交互に行わせることを含む、項目３２に記載の方法。
［項目３４］
それぞれが１つ以上の第２のアンテナを備える１つ以上の第２の受信機を介して、（ａ）において、電力が１つ以上の非エレクトロクロミックデバイスに送達されるべきであると判断することと、
（ｂ）において、電力を上記１つ以上の第２のアンテナに無線伝送することと、
上記１つ以上の第２のアンテナを使用して、（ｃ）において、上記無線伝送された電力を上記１つ以上の第２の受信機において受信することと、をさらに含む、項目３１に記載の方法。
［項目３５］
受信した上記電力で上記エレクトロクロミックデバイスの光学遷移を駆動することをさらに含む、項目３１に記載の方法。
［項目３６］
受信した上記電力をバッテリまたはコンデンサに貯蔵することと、
上記バッテリまたはコンデンサに貯蔵された電力を放電して、上記エレクトロクロミックデバイスの光学遷移を駆動することと、をさらに含む、項目３１に記載の方法。
［項目３７］
上記１つ以上の第１の受信機において受信された上記無線伝送された電力が、上記エレクトロクロミックデバイスの光学遷移に給電するために使用されるか、またはエネルギー貯蔵デバイスに貯蔵されるかを判断することをさらに含む、項目３１に記載の方法。
［項目３８］
上記１つ以上の第１の受信機のそれぞれが、整流器および変換器を備える、項目３１に記載の方法。
［項目３９］
電力が上記エレクトロクロミックデバイスに送達されるべきであると判断することが、マイクロ位置特定チップを使用して、上記エレクトロクロミックデバイスの位置を判断することをさらに含む、項目３１に記載の方法。
［項目４０］
上記１つ以上の第１のアンテナのそれぞれが、約１ｍｍ〜２５ｍｍである長さおよび幅の寸法を備えるパッチアンテナである、項目３１に記載の方法。
［項目４１］
１つ以上の上記第１のアンテナが、上記第２のアンテナのうちの１つ以上である、項目３２または３４に記載の方法。
［項目４２］
１つ以上の上記第１の受信機が、上記第２の受信機のうちの１つ以上である、項目３２または３４に記載の方法。
［項目４３］
上記伝送機が、上記建物内の規定の場所に建設的干渉パターンを形成する電磁伝送を同時に送達するように構成されたアンテナアレイを備える、項目３１に記載の方法。
［項目４４］
装置であって、
第１の表面および第２の表面を備える１つ以上の透明なライトと、
上記１つ以上のライトの第１の表面上に配置されたエレクトロクロミックデバイス（ＥＣＤ）であって、
上記第２の表面に隣接する第１の導電層、
第２の導電層、および
上記第１の導電層と上記第２の導電層との間のエレクトロクロミック層を含む、エレクトロクロミックデバイス（ＥＣＤ）と、
上記１つ以上のライトの上記第１の表面または第２の表面にわたって配設された少なくとも１つの導電アンテナ構造体と、
少なくとも１つの隣接する反射防止層とともに、少なくとも１つの導電層を備える電磁遮蔽体であって、上記１つ以上のライトの上記第１の表面、上記第２の表面、もしくは別の表面間に、またはそれに隣接して位置する、電磁遮蔽体と、を備える装置。
［項目４５］
上記電磁遮蔽体が、それぞれが少なくとも１つの隣接する反射防止層を備える少なくとも２つの導電層を備え、上記反射防止層が、互いに物理的に接触していない、項目４４に記載の装置。
［項目４６］
上記導電層が、銀層を含む、項目４４に記載の装置。
［項目４７］
窓構造体であって、
第１の表面および第２の表面を備える１つ以上の透明なライトと、
上記１つ以上のライトの第１の表面上に配置されたエレクトロクロミックデバイスであって、
上記第２の表面に隣接する第１の導電層、
第２の導電層、および
上記第１の導電層と上記第２の導電層との間のエレクトロクロミック層を備える、エレクトロクロミックデバイスと、
少なくとも１つの隣接する反射防止層とともに、少なくとも１つの導電層を備える電磁遮蔽膜であって、上記１つ以上のライトの上記第１の表面、上記第２の表面、もしくは別の表面に、またはそれに隣接して載置されている、電磁遮蔽膜と、を備える、窓構造体。
［項目４８］
上記電磁遮蔽膜が、それぞれが少なくとも１つの隣接する反射防止層を備える少なくとも２つの導電層を備え、上記反射防止層が、互いに物理的に接触していない、項目４７に記載の窓構造体。
［項目４９］
上記導電層が、銀層を含む、項目４７に記載の窓構造体。
［項目５０］
上記電磁遮蔽膜が、ライトに載置されたとき、約２５μｍ〜約１０００μｍの総厚を有する、項目４７に記載の窓構造体。
［項目５１］
上記電磁遮蔽膜が、上記１つ以上のライトの上記第１の表面、上記第２の表面、または別の表面に載置されていないときには可撓性である、項目４７に記載の窓構造体。
［項目５２］
上記導電層が、少なくとも２つの金属副層または金属合金副層を備える、項目４７に記載の窓構造体。
［項目５３］
少なくとも１つの金属副層または金属合金副層が、屈折率整合副層である、項目５２に記載の窓構造体。
［項目５４］
デバイスまたは上記デバイスを含む資産の場所をモニタリングするためのシステムであって、
建物内の光学的に切り替え可能な窓および／または窓コントローラ上に配置された複数のアンテナを備えるネットワークと、
位置特定論理であって、
（ａ）上記複数のアンテナのうちの１つ以上の第１のアンテナが、上記デバイスから第１の電磁伝送を受信したと判断する動作と、
（ｂ）上記１つ以上の第１のアンテナによる上記第１の電磁伝送の受信からの情報を分析することによって、上記デバイスの第１の場所を判断する動作と、
（ｃ）（ａ）の後に、上記複数のアンテナのうちの１つ以上の第２のアンテナが、上記デバイスから第２の電磁伝送を受信したと判断する動作と、
（ｄ）少なくとも１つ以上の上記第２のアンテナによる上記第２の電磁伝送の受信からの情報を分析することによって、上記デバイスの第２の場所を判断する動作と、
（ｅ）上記デバイスが、上記第１の場所から上記第２の場所に移動することによって、仮想境界を越えたか否かを判断する動作と、を実行するように構成された、位置特定論理と、を備えるシステム。
［項目５５］
上記位置特定論理が、上記デバイスが、上記第１の場所から上記第２の場所に上記仮想境界を越えたと判断した後に、警告を送信し、警報をトリガし、かつ／または補助システムと通信するようにさらに構成される、項目５４に記載のシステム。
［項目５６］
上記デバイスの上記第１および／または第２の場所が、約１ｍ以下の解像度まで判断される、項目５４に記載のシステム。
［項目５７］
上記デバイスの上記第１および／または第２の場所が、約１０ｃｍ以下の解像度まで判断される、項目５４に記載のシステム。
［項目５８］
上記デバイスの上記第１および／または第２の場所を判断することが、受信信号の強度を測定して、上記１つ以上の第１および／または第２のアンテナに対する上記デバイスの近接性を判断することを含む、項目５４に記載のシステム。
［項目５９］
上記デバイスの上記第１および／または第２の場所を判断することが、上記デバイスによって感知された慣性情報または磁気情報を使用することをさらに含む、項目５４に記載のシステム。
［項目６０］
位置特定論理が、時間、ユーザに付与された許可、および／またはユーザに付与された許可に基づいて上記仮想境界を調節するようにさらに構成される、項目５４に記載のシステム。
［項目６１］
上記第１のアンテナおよび上記第２のアンテナが、上記位置特定論理を備える少なくとも１つのネットワークコントローラまたはマスタコントローラを備えるネットワークの一部である、項目５４に記載のシステム。
［項目６２］
上記第１および／または第２のアンテナのうちの少なくとも１つが、モノポールアンテナである、項目５４に記載のシステム。
［項目６３］
上記第１および／または第２のアンテナのうちの少なくとも１つが、ストリップラインまたはパッチを備える、項目５４に記載のシステム。
［項目６４］
上記第１および／または第２のアンテナのうちの少なくとも１つが、フラクタルアンテナである、項目５４に記載のシステム。
［項目６５］
上記第１および／または第２のアンテナのうちの少なくとも１つが、シェルピンスキーアンテナである、項目５４に記載のシステム。
［項目６６］
上記第１および／または第２のアンテナのうちの少なくとも１つが、上記光学的に切り替え可能な窓のうちの少なくとも１つの表面上に配置されたグランドプレーンを備える、項目５４に記載のシステム。
［項目６７］
上記デバイスが、パルスベースの超広帯域（ＵＷＢ）信号を伝導かつ／または受信するように構成されたマイクロ位置特定チップを備える、項目５４に記載のシステム。
［項目６８］
電力を無線伝送によってエレクトロクロミックデバイスに送達するためのシステムであって、
電磁伝送により電力を無線伝送するための伝送機と、
それぞれが１つ以上の第１のアンテナを備える１つ以上の第１の受信機であって、上記１つ以上の第１のアンテナが、（ｉ）上記エレクトロクロミックデバイスを含む１つ以上のエレクトロクロミック窓に、かつ／または（ｉｉ）上記エレクトロクロミックデバイスを制御するように構成された１つ以上の窓コントローラに、配置されている、１つ以上の第１の受信機と、
１つ以上の論理デバイスであって、
（ａ）電力が、１つ以上の第１の受信機を介して上記エレクトロクロミックデバイスに送達されるべきであると判断することと、
（ｂ）上記伝送機に、電磁伝送によって電力を上記第１のアンテナのうちの１つ以上に無線伝送させることと、を行うように構成またはプログラムされた、１つ以上の論理デバイスと、を備える、システム。
［項目６９］
上記１つ以上の論理デバイスが、それぞれが１つ以上の第２のアンテナを備える１つ以上の第２の受信機を介して、（ａ）において、電力が１つ以上のさらなるエレクトロクロミックデバイスに送達されるべきであると判断するように、さらに構成またはプログラムされる、項目６８に記載のシステム。
［項目７０］
上記１つ以上の論理デバイスが、上記伝送機に、上記１つ以上の第１のアンテナおよび上記１つ以上の第２のアンテナ間で、電力を伝送することを交互に行わせるように構成またはプログラムされる、項目６９に記載のシステム。
［項目７１］
上記１つ以上の論理デバイスが、それぞれが１つ以上の第２のアンテナを備える１つ以上の第２の受信機を介して、（ａ）において、電力が１つ以上の非エレクトロクロミックデバイスに送達されるべきであると判断するように、さらに構成またはプログラムされる、項目６８に記載のシステム。
［項目７２］
上記１つ以上の論理デバイスが、上記第１の受信機のうちの上記１つ以上において受信された上記無線伝送された電力が、上記エレクトロクロミックデバイスの光学遷移に給電するために使用されるか、またはエネルギー貯蔵デバイスに貯蔵されるかを判断するように、さらに構成またはプログラムされる、項目６８に記載のシステム。
［項目７３］
デバイスまたは上記デバイスを含む資産の場所をモニタリングするためのシステムであって、
建物内の光学的に切り替え可能な窓および／または窓コントローラに配置された複数のアンテナを備えるネットワークと、
位置特定論理であって、
（ａ）上記複数のアンテナのうちの１つ以上の第１のアンテナが、上記デバイスから第１の電磁伝送を受信したと判断する動作と、
（ｂ）上記１つ以上の第１のアンテナによる上記第１の電磁伝送の受信からの情報を分析することによって、上記デバイスの第１の場所を判断する動作と、
（ｃ）（ａ）の後に、上記複数のアンテナのうちの１つ以上の第２のアンテナが、上記デバイスから第２の電磁伝送を受信したと判断する動作と、
（ｄ）少なくとも１つ以上の上記第２のアンテナによる上記第２の電磁伝送の受信からの情報を分析することによって、上記デバイスの第２の場所を判断する動作と、
（ｅ）上記デバイスが、上記第１の場所から上記第２の場所に移動することによって、仮想境界を越えたか否かを判断する動作と、を実行するように構成された、位置特定論理と、を備えるシステム。
［項目７４］
ユーザとインタフェースするための非一時的な命令を格納するコンピュータ可読媒体を備えるコンピュータプログラム製品をさらに備え、上記命令が、
ユーザが、考えられる資産のリストから所望の資産を選択することを可能にするユーザインタフェースを提示するここと、
上記位置特定論理から、上記資産の上記第１の場所または第２の場所の、いずれかその時点の場所を受信することと
上記ユーザを上記第１の場所に、または上記第２の場所に案内するための命令を、上記ユーザインタフェースに表示することと、を含む、項目７３に記載のシステム。
［項目７５］
エレクトロクロミックデバイスコーティングと、金属層を備える遮蔽スタックと、を備える、絶縁ガラスユニット（ＩＧＵ）であって、上記遮蔽スタックが、上記金属層を接地することによって、電磁放射を阻止するように構成されている、絶縁ガラスユニット（ＩＧＵ）。
［項目７６］
上記ＩＧＵとの間で情報および／または無線電力を受信かつ／または伝送するためのアンテナをさらに備える、項目７５に記載のＩＧＵ。
［項目７７］
上記金属層が、上記アンテナ用のグランドプレーンとしても働く、項目７６に記載のＩＧＵ。
［項目７８］
上記エレクトロクロミックデバイスコーティングおよび上記遮蔽スタックが、少なくとも１つの共通層を共有する、項目７５に記載のＩＧＵ。
［項目７９］
上記金属層が、上記エレクトロクロミックデバイスコーティングの光学遷移を制御するようにも構成されている窓コントローラによって選択的に接地されている、項目７５に記載のＩＧＵ。
［項目８０］
上記ＩＧＵの一方または両方のライトが、積層構造体を備える、項目７５に記載のＩＧＵ。
［項目８１］
上記エレクトロクロミックデバイスコーティングが、非積層ライト上にあり、上記遮蔽スタックが、積層ライト上にある、項目８０に記載のＩＧＵ。
［項目８２］
上記エレクトロクロミックデバイスコーティングと上記遮蔽スタックとの両方が、積層ライト上にある、項目８０に記載のＩＧＵ。